(57)【要約】【課題】車両が車庫で待機状態にあるときには、常に燃料を満タンとする（最大エネルギを確保する）管理ができること。【解決手段】特定車両の車両登録地点から目的地との間のルートを探索すると共に、選択されたルートに従って表示画面及び音声でルート案内する。前記車両がその車両登録地点から所定の距離内に戻ってきたと判断されたとき、車両登録地点に対する「帰路」か、否かを問い、ステップＳ１２及びステップＳ１３からなる帰路確認部で「帰路」であることが特定されたとき、エネルギ供給所選択部で車両登録地点付近、即ち、人為的に設定した車両登録地点中心に半径３Ｋｍ円以内にあるエネルギ供給所を表示し、ステップＳ１６及びステップＳ１７でそこから立ち寄るエネルギ供給所を選択自在に表示し、ステップＳ１８で車両が立ち寄るエネルギ供給所が特定されたと判断すると、経由地案内部で特定されたエネルギ供給所を経由するルート探索及びルート案内を行うものである。【選択図】図５
2009128293.tif 000002
【特許請求の範囲】
【請求項１】
特定の車両の車両登録地点から目的地との間のルートを探索すると共に、選択されたルートに従って案内するナビゲーション装置において、
前記車両登録地点に対する走行であることが特定されたとき、前記車両登録地点付近にあるエネルギ供給所を表示し、そこから立ち寄るエネルギ供給所を選択自在に表示するエネルギ供給所選択部と、
前記エネルギ供給所選択部で前記車両が立ち寄るエネルギ供給所が特定されると、特定された前記エネルギ供給所を経由するルート探索及びルート案内を行う経由地案内部と
を具備することを特徴とするナビゲーション装置。
【請求項２】
特定の車両の車両登録地点から目的地との間のルートを探索すると共に、選択されたルートに従って案内するナビゲーション装置において、
前記車両が前記特定の車両登録地点の所定の距離内になったとき、前記車両登録地点に対する走行か、否かを問う帰路確認部と、
前記車両登録地点に対する走行であることが特定されたとき、前記車両登録地点付近にあるエネルギ供給所を表示し、そこから立ち寄るエネルギ供給所を選択自在に表示するエネルギ供給所選択部と、
前記エネルギ供給所選択部で前記車両が立ち寄るエネルギ供給所が特定されると、特定された前記エネルギ供給所を経由するルート案内を行う経由地案内部と
を具備することを特徴とするナビゲーション装置。
【請求項３】
特定の車両の車両登録地点から目的地との間のルートを探索すると共に、選択されたルートに従って案内するナビゲーション装置において、
前記車両が前記特定の車両登録地点の所定の距離内になったとき、前記車両登録地点に対する走行か、否かを問う帰路確認部と、
前記車両登録地点に対する走行であることが特定されたとき、前記車両登録地点付近にあるエネルギ供給所を表示し、そこから立ち寄るエネルギ供給所を選択自在に表示するエネルギ供給所選択部と、
前記エネルギ供給所選択部で前記車両が立ち寄るエネルギ供給所が特定されると、特定された前記エネルギ供給所を経由するルート案内を行う経由地案内部と、
前記経由地案内部でルート表示した以降の走行軌跡を認識可能な色彩で、イグニッションスイッチの切断では解消しない表示とする軌跡表示部と
を具備することを特徴とするナビゲーション装置。
【請求項４】
前記車両登録地点に対する走行か、否かを問う帰路確認部は、前記車両登録地点から所定の距離を超えた後、当該所定の距離以内に入ったことによって判断することを特徴とする請求項２または請求項３に記載のナビゲーション装置。
【請求項５】
前記車両登録地点に対する走行か、否かを問う帰路確認部は、前記車両登録地点が前記車両の走行目的地に設定されているときに帰路と特定することを特徴とする請求項２乃至請求項４の何れか１つに記載のナビゲーション装置。
【請求項６】
前記車両登録地点に対する走行か、否かを問う帰路確認部は、特定の目的地に対してルート案内していないときでも、前記車両登録地点から所定の距離以内に入ってきたことを判断し、そのルート探索及びルート案内を開始することを特徴とする請求項２乃至請求項５の何れか１つに記載のナビゲーション装置。
【請求項７】
前記車両登録地点に対する走行か、否かを問う帰路確認部は、特定の目的地として特定の車両登録地点外が選択されルート案内しているときには、所定の距離内に入ってきたと判断しないことを特徴とする請求項２乃至請求項６の何れか１つに記載のナビゲーション装置。
【請求項８】
前記車両登録地点付近にあるエネルギ供給所を表示し、そこから立ち寄るエネルギ供給所を選択自在に表示するエネルギ供給所選択部は、前記車両が前記車両登録地点に向かう走行車線において反対車線側にある前記エネルギ供給所及び車両登録地点よりも以遠にあるエネルギ供給所を除くことを特徴とする請求項１乃至請求項７の何れか１つに記載のナビゲーション装置。
【請求項９】
前記車両登録地点付近にあるエネルギ供給所を表示し、そこから立ち寄るエネルギ供給所を選択自在に表示するエネルギ供給所選択部は、前記エネルギ供給所のカード使用の可否、販売店の系列、エネルギ価格等の情報の１つ以上を付加して報知することを特徴とする請求項１乃至請求項８の何れか１つに記載のナビゲーション装置。
【請求項１０】
前記車両登録地点付近にあるエネルギ供給所を表示し、そこから立ち寄るエネルギ供給所を選択自在に表示するエネルギ供給所選択部は、単一のエネルギ供給所のみの場合には、前記エネルギ供給所が選択されたと一義的に決定することを特徴とする請求項１乃至請求項９の何れか１つに記載のナビゲーション装置。
【請求項１１】
更に、前記車両が特定の車両登録地点に到着したとき、事務処理メッセージを報知することを特徴とする請求項１乃至請求項１０の何れか１つに記載のナビゲーション装置。
【請求項１２】
前記エネルギ供給所とは、ガソリンスタンド、アルコールスタンド、ＬＰＧスタンド、電気スタンドの何れか１つに該当する液体燃料または電気を供給する場所とすることを特徴とする請求項１乃至請求項１１の何れか１つに記載のナビゲーション装置。
【請求項１３】
特定の車両の車両登録地点から目的地との間のルートを探索すると共に、選択されたルートに従って案内するナビゲーション装置において、
前記車両が前記車両登録地点に対する走行であることが特定されたとき、前記車両登録地点付近にあるエネルギ供給所を表示すると共に、そこから立ち寄るエネルギ供給所の選択を自在とし、
前記車両が立ち寄るエネルギ供給所が選択されると、選択された前記エネルギ供給所を経由するルート探索及びルート案内を行い、前記車両が前記車両登録地点に到着する前に、前記車両が前記エネルギ供給所に立ち寄るルート案内をすることを特徴とするナビゲーション装置。
【発明の詳細な説明】
【技術分野】
【０００１】
本発明は、車載用のナビゲーション装置に関するもので、特に、車両登録地点に戻る前に特定のエネルギ供給所に立ち寄ることが義務化されている車両のナビゲーション装置に関するものである。
【背景技術】
【０００２】
従来のナビゲーション装置としては特許文献１に記載のものがある。
当該特許文献１には、設定された出発地と目的地との間のルートを探索するナビゲーション装置において、道路ネットワークデータを記憶する記憶部と、車両の駆動装置に供給されるエネルギの残量を検出する検出部と、ルート探索処理を行う演算部とを備え、前記演算部は、出発地から目的地へのルートを、記憶部内の道路ネットワークデータを参照して探索し、探索したルートに従って車両を誘導または案内している最中に、エネルギの残量を検出する検出部からの検出結果を受け取ると、当該検出結果が示す残量を所定の基準値と比較し、残量が基準値以下と判断した場合、エネルギの供給所を検索し、自車位置から、検索した供給所への供給ルートを、前記記憶部内の道路ネットワークデータに基づいて探索するものである。
【特許文献１】特開２００１−３１７９５１
【０００３】
特許文献１においては、既に探索されたルート上をルート案内中であっても新しい目的地を自動的に設定できるという技術を開示している。
特許文献１によって、通常のナビゲーション装置においては、ユーザは走行前に最初の目的地を設定することができる。しかし、最初に探索されたルートを車両が走行中という状況下で、他の情報によってその目的地を変更することはできなかった。
しかし、例えば、燃料の欠乏、食事、トイレに限らず、車両が走行前に探索された最適ルートを走行中に、ユーザの環境状況が変化し、寄り道しなければならない場合が発生する。その場合には、車両を安全に運転しながら、車両を誘導することができる。
【発明の開示】
【発明が解決しようとする課題】
【０００４】
特許文献１のナビゲーション装置は、既に探索されたルートの案内中に、新しい目的地を自動的に設定できるという技術を開示しているものの、ナビゲーション装置が動作中に修正設定するものであり、エネルギが７〜８割の残量であれば動作しない。
ところが、レンタカーや社有車両、共用車両、タクシーの場合には、レンタカーの場合には返却時に、社有車両、共用車両、タクシーの場合には車庫に車両を格納する前に燃料（エネルギ）が満タンになっていることが前提となっている。このようなレンタカーや社有車両、共用車両、タクシーの場合の燃料管理には、特許文献１の技術は使用できないものである。
【０００５】
そこで、この発明はかかる不具合を解決するためになされたもので、車両が車庫で待機状態にあるときには、常に燃料を満タンとする（最大エネルギを確保する）管理ができるナビゲーション装置の提供を目的とするものである。
【課題を解決するための手段】
【０００６】
請求項１にかかるナビゲーション装置は、エネルギ供給所選択部で特定の車両の車両登録地点に対する帰路、即ち、特定の車両の車両登録地点に対する走行であることが特定されたとき、経由地案内部で前記車両登録地点付近にあるエネルギ供給所を表示し、そこから立ち寄るエネルギ供給所を選択自在に表示し、前記車両が立ち寄るエネルギ供給所が特定されると、特定のエネルギ供給所を経由するルート探索及びルート案内を行うものである。
ここで、上記特定の車両の車両登録地点は、１以上の車両登録地点とすることができる。前記車両登録地点に対する帰路であることが特定されたときとは、ナビゲーションにより車両登録地点に対するルート探索の設定がなされたときには、帰路を特定するものである。特に、ここで帰路とは、単に出発登録地点のみでなく、出発登録地点以外の何れかの車両登録地点が設定されたときにも帰路と判断される。
また、上記エネルギ供給所選択部は、前記車両登録地点に対する帰路であることが特定されたとき、前記車両登録地点付近にあるエネルギ供給所を表示し、そこから立ち寄るエネルギ供給所を選択自在に表示するものであるが、単一の場合には、一義的にそれが選択されたことになり、複数ある場合には、人為的に選択するものである。
そして、上記経由地案内部は、前記車両が立ち寄るエネルギ供給所が特定されると、特定のエネルギ供給所を経由するルート探索及びルート案内を行うものであり、人為的にルート案内を遮断しない限り、前記車両が立ち寄るエネルギ供給所を経由地として案内するものである。特に、本発明はナビゲーション装置にソフトウエアの追加のみで対応でき、その付加価値を高めることができる。
【０００７】
請求項２にかかるナビゲーション装置は、帰路確認部で車両がその特定の車両登録地点の所定の距離内になったとき、前記車両登録地点に対する帰路、即ち、特定の車両の車両登録地点に対する走行か、否かを問い、前記車両登録地点に対する帰路であることが特定されたとき、エネルギ供給所選択部で前記車両登録地点付近にあるエネルギ供給所を表示し、そこから立ち寄るエネルギ供給所を選択自在に表示し、前記車両が立ち寄るエネルギ供給所が特定されると、経由地案内部で特定のエネルギ供給所を経由するルート探索及びルート案内を行うものである。
ここで、ここで、上記特定の車両の車両登録地点は、１以上の車両登録地点とすることができる。上記帰路確認部は、前記特定の車両の車両登録地点から所定の距離内の走行に戻ってきたときを含む特定の車両登録地点の所定の距離内になったとき、前記車両登録地点に対する帰路か、否かを問うものであり、帰路が判明している操作が行われておれば、帰路を選択されたと判定するものであり、ナビゲーション機能によってルート案内されていないときにも、所定の距離内の走行に戻ってきたときをもって判断入力を得るものである。特に、ここで帰路とは、単に出発登録地点のみでなく、出発登録地点以外の何れかの車両登録地点が設定されたときにも帰路と判断される。
また、上記エネルギ供給所選択部は、前記特定の登録地点に対する帰路であることが特定されたとき、前記車両の登録地点付近にあるエネルギ供給所を表示し、そこから立ち寄るエネルギ供給所を選択自在に表示するものであるが、単一の場合には、一義的にそれが選択されたことになり、複数のエネルギ供給所がある場合には、人為的に選択するものである。
そして、上記経由地案内部は、前記車両が立ち寄るエネルギ供給所が特定されると、特定のエネルギ供給所を経由するルート探索及びルート案内を行うものであり、例え、それまでルート案内されていなくとも、前記車両が立ち寄るエネルギ供給所のルート案内をするものである。
【０００８】
請求項３にかかるナビゲーション装置は、帰路確認部で車両がその特定の車両の車両登録地点から所定の距離内の走行になったとき、前記車両登録地点に対する帰路、即ち、特定の車両の車両登録地点に対する走行か、否かを問い、前記帰路であることが特定されたとき、エネルギ供給所選択部で前記車両登録地点付近にあるエネルギ供給所を表示し、そこから立ち寄るエネルギ供給所を選択自在に表示し、前記車両が立ち寄るエネルギ供給所が特定されると、経由地案内部で特定された前記エネルギ供給所を経由するルート探索及びルート案内とし、前記車両の立ち寄りが確認されたとき、以降の走行ルートを認識可能な色彩でその軌跡を表示し、イグニッションスイッチの切断では解消しない表示とするものである。
ここで、上記特定の車両の車両登録地点は、１以上の車両登録地点とすることができる。上記帰路確認部は、前記特定の車両の車両登録地点から所定の距離内の走行に戻ってきたとき、前記車両登録地点に対する帰路か、否かを問うものであり、帰路が判明している操作が行われておれば、帰路を選択されたと判定するものであり、ナビゲーション機能によってルート案内されていないときにも機能するものである。特に、ここで帰路とは、単に出発登録地点のみでなく、出発登録地点以外の何れかの車両登録地点が設定されたときにも帰路と判断される。
また、上記エネルギ供給所選択部は、前記車両登録地点に対する帰路であることが特定されたとき、前記車両登録地点付近にあるエネルギ供給所を表示し、そこから立ち寄るエネルギ供給所を選択自在に表示するものであるが、単一の場合には、一義的にそれが選択されたことになり、複数のエネルギ供給所がある場合には、人為的に選択するものである。
そして、上記経由地案内部は、前記車両が立ち寄るエネルギ供給所が特定されると、特定のエネルギ供給所を経由するルートのルート案内を行うものであり、それまで前記車両登録地点までルート案内を受けていても、前記車両が立ち寄るエネルギ供給所をそのルートに加えたルート案内として継続するものである。
更に、上記軌跡表示部は、前記経由地案内部で以降の走行ルートを認識可能な色彩で軌跡を表示し、イグニッションスイッチの切断では解消しない表示とするものであり、必要に応じてイグニッションスイッチの投入により所定時間経過後に消去、または所定の消去操作によって消去するものである。
【０００９】
請求項４にかかるナビゲーション装置の車両登録地点に対する帰路、即ち、特定の車両の車両登録地点に対する走行か、否かを問う帰路確認部は、前記車両登録地点から所定の距離を超えた後、当該所定の距離以内に戻ってきたことによって判断するものである。
ここで、所定の距離とは、単一の特定の距離に設定することができるし、また、複数の距離を前提とすることもできる。そして、特定の市街地の内外とすることもできる。
【００１０】
請求項５にかかるナビゲーション装置の車両登録地点に対する帰路、即ち、特定の車両の車両登録地点に対する走行か、否かを問う帰路確認部は、前記車両登録地点が前記車両の走行目的地に設定されているときには、帰路が選択されたとするものである。前記車両登録地点が前記車両の走行目的地に設定されているときとは、自宅（登録地点）に帰る旨のキー操作によって登録地点を走行目的地に設定された場合も同様である。
【００１１】
請求項６にかかるナビゲーション装置の車両登録地点に対する帰路、即ち、特定の車両の車両登録地点に対する走行か、否かを問う帰路確認部は、特定の目的地に対してルートのルート案内をしていないときでも、前記車両登録地点から所定の距離以内に戻ってきたことによって、ルート探索及びルート案内を開始するものである。
ここで、特定の目的地に対してルート探索及びルート案内をしていないときとは、ＧＰＳを使用して道路走行中の車両の位置が表示されていても、特定の目的地をセットしてそのルート探索及びルート案内をしていないときである。この場合でも、前記車両登録地点から所定の距離以内に戻ってきたことによって、ルート案内を開始するものである。
【００１２】
請求項７にかかるナビゲーション装置の車両登録地点に対する帰路、即ち、特定の車両の車両登録地点に対する走行か、否かを問う帰路確認部は、特定の目的地として車両登録地点外が選択されそのルート探索をし、ルート案内しているときに、車両が所定の距離内に戻ってきたとしても、帰路と判断しないものである。ここで、特定の目的地として車両登録地点外が選択され、そのルート案内しているときには、仮に、車両が所定の距離内に戻ってきたとしても、前記車両の登録地点を走行目的地としていないので、帰路と判断しないものである。
【００１３】
請求項８にかかるナビゲーション装置の車両登録地点付近にあるエネルギ供給所を表示し、そこから立ち寄るエネルギ供給所を選択自在に表示するエネルギ供給所選択部は、その車両登録地点に向かって前記車両の走行車線を走行しているとき、その反対車線にあるエネルギ供給所を除くものである。ここで、反対車線にあるエネルギ供給所を除くのは、無駄な走行を行わないものである。また、その車両登録地点よりも以遠にあるエネルギ供給所を除くものである。
【００１４】
請求項９にかかるナビゲーション装置の車両登録地点付近にあるエネルギ供給所を表示し、立ち寄るエネルギ供給所を選択自在に表示するエネルギ供給所選択部は、前記エネルギ供給所のカード使用、販売店の系列、エネルギ価格等の情報の１つ以上を付加したものである。ここで、前記エネルギ供給所の情報として、カード使用の可否、販売店の系列、エネルギ価格等の情報の１つ以上を表示または音声ルート案内によって行うものである。
【００１５】
請求項１０にかかるナビゲーション装置の車両登録地点付近にあるエネルギ供給所を表示し、立ち寄るエネルギ供給所を選択自在に表示するエネルギ供給所選択部は、単一のエネルギ供給所のみの場合には、前記エネルギ供給所が選択されたと一義的に決定するものである。
【００１６】
請求項１１にかかるナビゲーション装置の車両登録地点に到着したとき、事務処理メッセージを案内するものである。この事務処理メッセージとは、レンタカーや社有車両、共用車両、タクシー等、イグニツションキーの取り扱い等のように定まったルールに従った処理を案内するものである。
【００１７】
請求項１２にかかるナビゲーション装置のエネルギ供給所とは、ガソリンスタンド、アルコールスタンド、ＬＰＧスタンド等の液体燃料の供給所、電気スタンド等の電気の充電場所等を意味するものである。
【００１８】
請求項１３にかかるナビゲーション装置は、特定の車両の車両登録地点から目的地との間のルートを探索すると共に、選択されたルートに従って案内するナビゲーション装置において、前記車両が前記車両登録地点に向かう走行であることが特定されたとき、前記車両登録地点付近にあるエネルギ供給所を表示し、そこから立ち寄るエネルギ供給所を選択されると、選択された前記エネルギ供給所を経由するルート探索及びルート案内を行い、前記車両が前記車両登録地点に到着する前に、前記車両が前記エネルギ供給所に立ち寄るものである。即ち、本発明のナビゲーション装置は、前記車両が前記車両登録地点に対する走行であることが特定されたとき、前記車両登録地点付近にあるエネルギ供給所を表示し、前記車両が立ち寄るエネルギ供給所が選択されたことにより、特定された前記エネルギ供給所を経由するルート探索及びルート案内を行い、前記車両を前記エネルギ供給所に立ち寄らせるものである。特に、本発明はナビゲーション装置にソフトウエアの追加のみで対応でき、その付加価値を高めることができる。
【発明の効果】
【００１９】
請求項１のナビゲーション装置は、特定車両の車両登録地点から目的地との間のルートを探索すると共に、選択されたルートに従って表示画面及び音声でルート案内する。前記車両登録地点に対する帰路、即ち、特定の車両の車両登録地点に対する走行であることが特定されたとき、エネルギ供給所選択部で前記車両登録地点付近にあるエネルギ供給所を表示し、そこから立ち寄るエネルギ供給所を選択自在に表示し、前記車両が立ち寄るエネルギ供給所が特定されると、経由地案内部で特定のエネルギ供給所を経由するルート探索及びルート案内を行うものである。
したがって、車両がその特定の車両の車両登録地点に対する走行が特定されると、エネルギ供給所選択部で前記車両登録地点付近にあるエネルギ供給所を表示し、前記車両が立ち寄るエネルギ供給所が特定されると、経由地案内部で特定のエネルギ供給所を経由する車両登録地点に戻るルート探索及びルート案内を行うことができる。よって、車両が車庫で待機状態にあるときには、常に燃料を満タン、充電完了状態とする（最大エネルギを確保する）管理ができる。
【００２０】
請求項２のナビゲーション装置は、特定の車両の車両登録地点から目的地との間のルートを探索すると共に、選択されたルートに従って表示画面及び音声でルート案内する。前記車両がその車両登録地点の所定の距離内になったとき、前記車両登録地点に対する帰路、即ち、特定の車両の車両登録地点に対する走行であるか、否かを問い、帰路確認部で前記帰路であることが特定されたとき、エネルギ供給所選択部で前記車両登録地点付近にあるエネルギ供給所を表示し、そこから立ち寄るエネルギ供給所を選択自在に表示し、前記車両が立ち寄るエネルギ供給所が特定されると、経由地案内部で特定のエネルギ供給所を経由するルート探索及びルート案内を行うものである。
したがって、車両がその車両登録地点に向かうときの走行が確認されると、エネルギ供給所選択部で前記車両登録地点付近にあるエネルギ供給所を表示し、前記車両が立ち寄るエネルギ供給所が特定されると、経由地案内部で特定のエネルギ供給所を経由する車両登録地点に戻るルート探索及びルート案内を行うことができる。よって、車両が車庫で待機状態にあるときには、常に燃料を満タン、充電完了状態とする（最大エネルギを確保する）管理ができる。
【００２１】
請求項３のナビゲーション装置は、特定の車両の車両登録地点から目的地との間のルートを探索すると共に、選択されたルートに従って表示画面及び音声でルート案内する。前記車両がその１以上の車両の車両登録地点のうちの特定の所定の距離内になったとき、前記車両登録地点に対する帰路、即ち、特定の車両の車両登録地点に対する走行であるか、否かを問い、帰路確認部で前記帰路であることが特定されたとき、エネルギ供給所選択部で前記車両登録地点付近にあるエネルギ供給所を表示し、そこから立ち寄るエネルギ供給所を選択自在に表示し、前記車両が立ち寄るエネルギ供給所が特定されると、経由地案内部で特定された前記エネルギ供給所を経由するルートのルート案内に切り替えるものである。そして、軌跡表示部によって、前記経由地案内部で表示した以降の走行軌跡を認識可能な色彩で表示し、かつ、それがイグニッションスイッチの切断では解消しない表示としたものである。
したがって、車両がその特定の車両の車両登録地点に戻るときの走行が確認されると、エネルギ供給所選択部で前記車両登録地点付近にあるエネルギ供給所を表示し、前記車両が立ち寄るエネルギ供給所が特定されると、その際に車両登録地点に対するルート案内を行っていても、経由地案内部で特定のエネルギ供給所を経由する車両登録地点に戻るルートのルート案内に切り替えることができる。よって、車両が車庫で待機状態にあるときには、常に燃料を満タン、充電完了状態とする（最大エネルギを確保する）管理ができる。そして、軌跡表示部によって、前記経由地案内部で表示した以降の走行軌跡を認識可能とし、かつ、それがイグニッションスイッチの切断では解消しない表示としたものであるから、一旦、最大エネルギを確保しておきながら、他の走行を行った場合には、その記録を管理者または後に車両に乗り込んだドライバに知らせることができ、最大エネルギを確保する信頼性を向上できる。
特に、前記車両がその１以上の車両登録地点のうちの特定の車両登録地点の所定の距離内になったときを判断するものであるから、レンタカーのように、複数の車両の返却箇所がある場合に好適な設定となる。
【００２２】
請求項４のナビゲーション装置の車両登録地点に対する帰路、即ち、特定の車両の車両登録地点に対する走行か、否かを問う帰路確認部は、前記車両登録地点から所定の距離を超えた後、当該所定の距離以内に戻ってきたことによって判断するものであるから、請求項２または請求項３に記載の効果に加えて、ナビゲーション機能を使用していないときでも、使用しているときでも、前記車両登録地点に戻る場合には、常に燃料を満タン、充電完了状態とする管理される車両であることをドライバに知らせることができる。
【００２３】
請求項５のナビゲーション装置の車両登録地点に対する帰路、即ち、特定の車両の車両登録地点に対する走行か、否かを問う帰路確認部は、前記車両登録地点が前記車両の走行目的地に設定されているときには帰路と特定するものであるから、請求項２乃至請求項４の何れか１つに記載の効果に加えて、自宅（登録地点）に帰る等のキー操作または前記車両登録地点が前記車両の走行目的地に設定されたことをもって帰路を判断するものであるから、ドライバの意思を直接正確に得ることができる。
【００２４】
請求項６のナビゲーション装置の車両登録地点に対する帰路、即ち、特定の車両の車両登録地点に対する走行か、否かを問う帰路確認部は、特定の目的地に対してルート案内していないときでも、前記車両登録地点から所定の距離以内に戻ってきたことを判断し、そのルートのルート案内を開始するものであるから、請求項２乃至請求項５の何れか１つに記載の効果に加えて、ナビゲーション機能でルート案内されるまでなく熟知している道路の走行であっても、前記車両登録地点に戻る場合には、常に燃料を満タン、充電完了状態とする管理される車両であることをドライバに知らせることができる。
【００２５】
請求項７のナビゲーション装置の車両登録地点に対する帰路、即ち、特定の車両の車両登録地点に対する走行か、否かを問う帰路確認部は、特定の目的地として特定の車両登録地点外が選択されルート案内しているときには、所定の距離内に戻ってきても帰路と判断しないものであるから、請求項２乃至請求項６の何れか１つに記載の効果に加えて、不要な操作を行う必要がなくなる。
【００２６】
請求項８のナビゲーション装置の車両登録地点付近にあるエネルギ供給所を表示し、そこから立ち寄るエネルギ供給所を選択自在に表示するエネルギ供給所選択部は、前記車両の走行車線によって反対車線側にある前記エネルギ供給所を除くものであるから、請求項１乃至請求項７の何れか１つに記載の効果に加えて、特別にエネルギ供給所のための回り道を走行しなくともエネルギの供給ができるから、ドライバの負担を軽減することができる。
【００２７】
請求項９のナビゲーション装置の車両登録地点付近にあるエネルギ供給所を表示し、立ち寄るエネルギ供給所を選択自在に表示するエネルギ供給所選択部は、前記エネルギ供給所のカード使用の可否、販売店の系列、エネルギ価格等の情報の１つ以上を付加したものであるから、請求項１乃至請求項８の何れか１つに記載の効果に加えて、ドライバが自分の金銭管理に適したエネルギ供給所を選択することができる。
【００２８】
請求項１０のナビゲーション装置の車両登録地点付近にあるエネルギ供給所を表示し、立ち寄るエネルギ供給所を選択自在に表示するエネルギ供給所選択部は、単一のエネルギ供給所のみの場合には、前記エネルギ供給所が選択されたと一義的に決定するものであるから、請求項１乃至請求項９の何れか１つに記載の効果に加えて、ドライバの判断の手間を省略することができる。
【００２９】
請求項１１のナビゲーション装置は、前記車両登録地点に到着したとき、事務処理メッセージを案内するものであるから、請求項１乃至請求項１０の何れか１つに記載の効果に加えて、前記車両が特定の車両登録地点に到着したとき、ドライバに次の工程を説明するものであるから、初心者であっても惑わない手順が示唆できる。
【００３０】
請求項１２のナビゲーション装置の前記エネルギ供給所とは、ガソリンスタンド、アルコールスタンド、ＬＰＧスタンド等の液体燃料の供給所、電気スタンド等の電気充電場所の何れか１つ以上の液体燃料または電気を供給する場所とするものであるから、請求項１乃至請求項１１の何れか１つに記載の効果に加えて、現実的なレンタカー、社有車両、共用車両、タクシー等の運用に合致した運用が期待できる。
【００３１】
請求項１３の特定の車両の車両登録地点から目的地との間のルートを探索すると共に、選択されたルートに従って案内するナビゲーション装置は、前記車両が前記車両登録地点に対する走行であることが特定されたとき、前記車両登録地点付近にあるエネルギ供給所を表示すると共に、そこから立ち寄るエネルギ供給所の選択を自在とし、前記車両が立ち寄るエネルギ供給所が選択されると、選択された前記エネルギ供給所を経由するルート探索及びルート案内を行い、前記車両が前記車両登録地点に到着する前に、前記車両が前記エネルギ供給所に立ち寄るルート案内をするものである。
したがって、車両がその特定の車両の車両登録地点に向かう走行が確認されると、エネルギ供給所選択部で前記車両登録地点付近にあるエネルギ供給所を表示し、前記車両が立ち寄るエネルギ供給所が選択されると、特定のエネルギ供給所を経由する車両登録地点に戻るルート案内に切り替えることができる。よって、車両が車庫で待機状態にあるときには、常に燃料を満タン、充電完了状態とする（最大エネルギを確保する）管理ができる。特に、前記車両がその１以上の車両登録地点のうちの特定の車両登録地点の所定の距離内になったときを判断するものであるから、レンタカーのように、複数の車両の返却箇所がある場合に好適な設定となる。
【発明を実施するための最良の形態】
【００３２】
以下、本発明の実施の形態について、図面に基づいて説明する。なお、実施の形態において、図中、同一記号及び同一符号は、同一または相当する機能部分であるから、ここでは重複する説明を省略する。
図１は本発明の実施の形態にかかるナビゲーション装置の一部機能表現を含む全体構成を示すブロック図である。また、図２は本発明の実施の形態にかかるナビゲーション装置のディスプレイで表示された説明図、図３は本発明の実施の形態にかかるナビゲーション装置の初期設定ルーチンのフローチャート、図４は本発明の実施の形態にかかるナビゲーション装置のメインルーチンのフローチャート、図５及び図６は本発明の実施の形態にかかるナビゲーション装置のスタンド立ち寄りルーチンのフローチャートである。図７は本発明の実施の形態にかかるナビゲーション装置によって軌跡を表示したディスプレイの画面の説明図である。
【００３３】
図１において、本実施の形態のナビゲーション装置は、入力された情報に基づいて、各種の演算処理を行うマイクロプロセッサからなる演算・制御部１と、操作者からの操作を受け付ける各種キー入力、音声入力、タッチスイッチ等の操作部２と、操作者に対して操作情報、地図等の情報を表示する液晶、ＥＬ等からなるディスプレイ３と、ルート案内、交通規制情報、渋滞情報の案内に関する音声ガイダンスを行うスピーカ４と、更に、現在の自車の位置、方位、目標物（例えば、交差点）までの距離等を検出することが可能となるように各種センサからなる自車の現在位置を検出する現在地検出部６と、道路交通情報通信システムセンター（ＶＩＣＳ（登録商標）：Vehicle Information and Communication System）７等の情報センタとの間でネットワーク７１を介して通信を行う通信部８、各種のデータが記録され、書込み、読み出しが可能な記憶容量が大きいハードディスクからなるデータ処理記憶部９とから構成されている。
なお、ディスプレイ３は操作部２としてのタッチスイッチを兼ねているものもある。
【００３４】
マイクロプロセッサからなる演算・制御部１は、全体の制御を行う演算及び制御を行うＣＰＵ１１、及びＣＰＵ１１が各種の演算処理を行うに当たってワーキングメモリとして使用すると共に、ルートが探索されたときのルートデータや交通規制情報が存在するリンクＩＤ等が記憶されるＲＡＭ１２、制御用プログラムの他、渋滞回避ルートへの変更をユーザに案内するルート変更案内処理プログラム等が記憶されたＲＯＭ１３、ＲＯＭ１３から読み出したプログラムを記憶するフラッシュメモリ１４等の内部記憶装置や、時間を計測するタイマ１５等を備えている。ＲＡＭ１２、ＲＯＭ１３、フラッシュメモリ１４等としては半導体メモリ、磁気コア等が使用され、演算及び制御を行うＣＰＵ１１は、ＭＰＵ等の演算機能を有するものの使用が可能である。
【００３５】
ＲＯＭ１３には、各種のプログラムが記憶され、ＲＡＭ１２に各種のデータが記憶されるようになっており、また、プログラム、データ等を外部記憶装置、メモリーカード等からプログラム、データ等を読み出してフラッシュメモリ１４に書き込む。更に、メモリーカード等を交換することによってプログラム、データ等を更新することができる。
そして、自車の現在位置を検出する現在地検出部６は、ＧＰＳセンサ６１、地磁気センサ６２、距離センサ６３、ステアリングセンサ６４、方位検出部としてのジャイロセンサ６５、高度計６６、更に、自車の走行速度及び走行距離を検出する車速センサ６７、エンジンの駆動を行うイグニッションスイッチ６８等からなる。
【００３６】
なお、本実施の形態のナビゲーション装置は、ネットワーク７１を介して道路交通情報通信システムセンター７から警察、日本道路公団等の交通管制システムの情報を収集して作成した道路の渋滞等に関する情報や、交通規制情報等の道路交通情報を所定時間毎に受信することが可能に構成されている。また、この道路交通情報は、例えば、道路の渋滞等に関する道路渋滞情報、道路工事、建築工事等による交通規制情報等の道路交通情報に関する詳細情報である。該詳細情報としては、道路渋滞情報の場合、後述のＶＩＣＳリンクＩＤ、渋滞の実際の長さ、渋滞解消の見込まれる時刻等であり、交通規制情報の場合、後述のＶＩＣＳリンクＩＤ、道路工事、建築工事等の継続期間、通行止め、片側交互通行、車線規制等の交通規制の種類、交通規制の時間帯等である。
【００３７】
また、ネットワーク７１としては、例えば、無線ＬＡＮ（Local Area Network）、ＷＡＮ（Wide Area Network）、イントラネット、携帯電話回線網、電話回線網、公衆通信回線網、専用通信回線網、インターネット等の通信回線網等の通信系を使用することができる。そして、放送衛星によるＣＳ放送、ＢＳ放送、地上波ディジタルテレビ放送、ＦＭ多重放送等を利用する通信系を使用することもできる。更に、高度道路交通システム（ＩＴＳ）において利用されるノンストップ自動料金支払いシステム（ＥＴＣ）、狭域通信システム（ＤＳＲＣ）等の通信系を使用することもできる。
【００３８】
更に、本実施の形態のナビゲーション装置を構成する各構成要素について図１に基づいて具体的に説明する。
ＧＰＳセンサ６１は、人工衛星によって発生させられた電波を受信することにより、地球上における自車の現在位置及び現在時刻を検出する。地磁気センサ６２は、地磁気を測定することによって自車方位を検出する。距離センサ６３は、道路上の所定位置間の距離等を検出する。ここで、距離センサ６３としては、例えば、自車の車輪の回転速度を測定し、測定した回転速度に基づいて距離を検出するが、車速センサ６７の出力を積分して距離を検出してもよい。イグニッションスイッチ６８はエンジンの指導及び停止を検出するものである。
【００３９】
また、ステアリングセンサ６４は自車の操舵角を検出するものである。ここで、ステアリングセンサ６４としては、例えば、ステアリングホイールの回転部に取り付けられた光学的な回転センサ、回転抵抗センサ、車輪に取り付けられた角度センサ等が使用される。
そして、ジャイロセンサ６５は自車の旋回角を検出するものである。ここで、ジャイロセンサ６５としては、例えば、ガスレートジャイロ、振動ジャイロ等が使用される。また、ジャイロセンサ６５によって検出された旋回角を積分することにより、自車方位を検出することができる。
【００４０】
また、データ処理記憶部９は、本実施の形態ではハードディスクを使用した場合で説明する。このハードディスクに記憶された交通情報ＤＢ（データベース）９１、地図情報ＤＢ９４、及び所定のプログラム等を読み出す機能を備えている。
なお、本実施の形態においては、データ処理記憶部９としてハードディスクが使用されているが、ハードディスクの他に、フレキシブルディスク等の磁気ディスクを外部記憶装置の一部として使用することができる。また、メモリーカード、磁気テープ、磁気ドラム、ＣＤ、ＭＤ、ＤＶＤ、光ディスク、ＩＣカード等を外部記憶装置の一部として使用することもできる。
【００４１】
交通情報ＤＢ９１には、道路交通情報通信システムセンター７から受信した渋滞の実際の長さ、渋滞解消の見込まれる時刻等から構成される現況の道路の渋滞等に関する道路交通情報から作成した渋滞情報９２が格納されている。また、この交通情報ＤＢ９１には、道路交通情報通信システムセンター７から受信した交通規制のある道路工事、建築工事等による交通規制情報等に関する道路交通情報から作成した交通規制情報９３が格納されている。
道路交通情報通信システムセンター７から受信した各道路交通情報には、種別情報、位置、渋滞区間の距離、渋滞度等の情報と共に、ＶＩＣＳリンクＩＤが含まれる。ＶＩＣＳリンクＩＤは、道路を所定の交差点毎に分割して規格化された走行案内用リンクとしてのＶＩＣＳリンクに付与された識別番号である。なお、前記道路交通情報には、各ＶＩＣＳリンクにおける始点及び終点の座標、始点から終点までの距離等の情報も含まれている。
【００４２】
なお、地図情報ＤＢ９４に記憶される道路とＶＩＣＳリンクとは同一ではない。即ち、一般的には、道路（リンク）の方がＶＩＣＳリンクよりも細分化されている。そこで、交通情報ＤＢ９１には、各道路に識別番号として付与されるリンクＩＤとＶＩＣＳリンクＩＤとの間の変換テーブル（対照表）を有し、ＶＩＣＳリンクＩＤに基づいて、対応するリンクＩＤを特定することができるようになっている。そのため、本実施の形態のナビゲーション装置は、道路交通情報通信システムセンター７からＶＩＣＳリンクＩＤを受信すると、該ＶＩＣＳリンクＩＤに基づいて渋滞情報等の道路交通情報を表示すべき道路の区間を特定することができる。そして、道路交通情報通信システムセンター７から受信した現況の道路の渋滞等に関する道路交通情報のＶＩＣＳリンクＩＤは、リンクＩＤに変換されて渋滞情報９２として格納される。また、道路交通情報通信システムセンター７から受信した交通規制情報等に関する道路交通情報のＶＩＣＳリンクＩＤは、リンクＩＤに変換されて交通規制情報９３として格納される。
【００４３】
また、地図情報ＤＢ９４には、本実施の形態のナビゲーション装置の走行案内やルート探索に使用されるナビ地図情報９５が格納されている。ここで、ナビ地図情報９５には、ルート案内及び地図表示に必要な各種情報から構成されており、例えば、各新設道路を特定するための新設道路情報、地図を表示するための地図表示データ、各交差点に関する交差点データ、ノード点に関するノードデータ、施設の一種である道路に関するリンクデータ、ルートを探索するための探索データ、施設の一種である店舗等のＰＯＩ（Point of Interest）に関する店舗データ、地点を検索するための検索データ等から構成されている。そして、地図情報ＤＢ９４の内容は、地図情報配信センタから通信部８を介して配信された更新情報をダウンロードすることによって更新される。
【００４４】
ここで、特に、地図表示データとしては、１０ｋｍ×１０ｋｍで区画された２次メッシュをベースに４分割（長さ１／２）、１６分割（１／４）、６４分割（１／８）されたユニットで構成されており、各ユニットのデータ量が略同レベルになるように、各地のユニットが設定されている。最も小さい６４分割サイズのユニットは、約１．２５ｋｍ四方の大きさである。
【００４５】
ノードデータとしては、実際の道路の分岐点（交差点、Ｔ字路等も含む）、各道路に曲率半径等に応じて所定の距離毎に設定されたノード点の座標（位置）、ノードが交差点に対応するノードであるか等を表すノード属性、ノードに接続するリンクの識別番号であるリンクＩＤのリストである接続リンク番号リスト、ノードにリンクを介して隣接するノードのノード番号のリストである隣接ノード番号リスト、各ノード点の高さ（高度）等に関するデータ等が記録される。
【００４６】
リンクデータとしては、道路を構成する各リンクに関してリンクの属する道路の幅員、勾配、カント、バンク、路面の状態、道路の車線数、車線数の減少する箇所、幅員の狭くなる箇所、踏切等を表すデータが、コーナに関して、曲率半径、交差点、Ｔ字路、コーナの入口及び出口等を表すデータが、道路属性に関して、降坂路、登坂路等を表すデータが、道路種別に関して、国道、県道、細街路等の一般道の他、高速自動車国道、都市高速道路、一般有料道路、有料橋等の有料道路を表すデータがそれぞれ記録される。更に、有料道路に関して、有料道路の入口及び出口の取付道（ランプウェイ）、料金所（インターチェンジ）等に関するデータが記録される。
【００４７】
そして、探索データとしては、設定された目的地までのルートを探索及び表示する際に使用されるデータについて記録されており、ノードを通過する際のコスト（以下、単に「ノードコスト」という）や道路を構成するリンクのコスト（以下、単に「リンクコスト」という）からなる探索コストを算出する為に使用するコストデータ、ルート探索により選択された誘導ルートをディスプレイ３の地図上に表示するためのルート表示データ等から構成されている。
【００４８】
店舗データとしては、各地域のホテル、病院、ガソリンスタンド、駐車場、観光施設等のＰＯＩに関するデータがＰＯＩを特定するＩＤと共に記録される。なお、前記地図情報ＤＢ９４には、所定の情報をナビゲーション装置のスピーカ４によって出力するための音声出力データも記録される。
【００４９】
更に、演算・制御部１には、操作部２、ディスプレイ３、スピーカ４、通信部８の各周辺装置が電気的に接続されている。操作部２は、走行開始時の現在地を修正し、案内開始地点としての出発地及び案内終了地点としての目的地を入力する際や施設に関する情報の検索を行う際等に操作され、各種キー等の複数の操作スイッチから構成される。そして、演算・制御部１は、操作部２の各スイッチの操作により出力されるスイッチ信号に基づき、対応する各種の動作を実行すべく制御を行う。
なお、操作部２としては、キーボード、マウス、バーコードリーダ、遠隔操作用のリモートコントロール装置、ジョイスティック、ライトペン、スタイラスペン等を使用することもできる。更に、ディスプレイ３の前面に設けたタッチパネルによって構成することもできる。
【００５０】
ディスプレイ３には、操作案内、操作メニュー、キーの案内、現在地から目的地までの誘導ルート、誘導ルートに沿った案内情報、後述のルート変更案内情報、交通情報、ニュース、天気予報、時刻、メール、テレビ番組等が表示される。
なお、ディスプレイ３の代わりに、ＣＲＴディスプレイ、プラズマディスプレイ、ＥＬ等を使用し、車両のフロントガラスにホログラムを投影するホログラム装置等を使用することもできる。
【００５１】
スピーカ４は、演算・制御部１からの指示に基づいて、誘導ルートに沿った走行を案内する音声ガイダンスや、誘導ルートのルート変更を案内する音声案内を出力する。ここで、案内される音声ガイダンスとしては、例えば、「２００ｍ先、○○交差点を右方向です。」や「有料道路を利用するルートに変更されました。」等がある。なお、スピーカ４より出力される音声としては、合成された音声の他に、各種効果音、予めＩＣメモリ等に録音された各種の案内情報を出力することもできる。
【００５２】
更にまた、通信部８は、情報センタ、例えば、道路交通情報通信システムセンター７等から送信された渋滞情報、交通規制情報、駐車場情報、交通事故情報、サービスエリアの混雑状況等の各情報から成る道路交通情報を、道路に沿って配設された電波ビーコン装置、光ビーコン装置等を介して電波ビーコン、光ビーコン等として受信するビーコンレシーバである。また、通信部８は、ネットワーク７１としてＬＡＮ、ＷＡＮ、イントラネット、携帯電話回線網、電話回線網、公衆通信回線網、専用通信回線網、インターネット等の通信回線網等の通信系において通信を可能とするネットワーク機器である。更に、通信部８は道路交通情報通信システムセンター７からの情報の他に、ニュース、天気予報等の情報から成るＦＭ多重情報を、ＦＭ放送局を介してＦＭ多重放送として受信するＦＭ受信機を備える。尚、前記ビーコンレシーバ及びＦＭ受信機は、ユニット化されてＶＩＣＳレシーバとして配設されるようになっているが、別々に配設することもできる。
【００５３】
次に、前記構成を有するナビゲーション装置においてＣＰＵ１１が実行するエネルギ供給所を選択して案内を行うルート案内処理について図２乃至図７に基づいて説明する。
図２において、ドライバ等のオペレータは操作部２により図２（ａ）の「メインメニュー」の画面から、図２（ｂ）の「各種設定」を選択し、「各種設定」画面から「スタンド立ち寄り設定」の画面を選択する。「スタンド立ち寄り」設定を選択すると、車両登録地点の入力、距離設定入力の画面となる。なお、車両登録地点の入力は、自宅（登録地点）として地図上に登録した登録地点を有する場合には、それを使用することになる。そこで登録されていない場合には、図２（ｃ）の入力画面で住所番地を入力することになる。それと共に、距離設定または地域設定を行う。距離設定では、車両登録地点を中心とする半径の円で、１．５Ｋｍ、２．０Ｋｍ、２．５Ｋｍというように、通常、３Ｋｍ以下に設定されるが、５Ｋｍ以下までは設定可能とされている。これは最寄のエネルギ供給所の存在によって設定される。地域設定では、例えば、○○市△△町、○○郡△△町と入力可能となる。本実施の形態では、距離設定を中心に述べるが、距離設定と地域設定の何れを選択してもよいし、何れかを優先させてもよい。
【００５４】
また、軌跡消去時間の設定を行う。軌跡消去時間は、イグニッションスイッチ６８がオンとなってからの経過時間で、通常３分程度に設定される。この軌跡は、エネルギ供給所に立ち寄った後に、他のルートを辿っていないことを確認するものであり、本発明を実施する場合には、必ずしも、必要とするものではない。
これらの設定が完了すると「完了」のキー選択によって、初期設定が完了し、本実施の形態のエネルギ供給所を選択して案内を行うルート案内処理に入ることができる。
【００５５】
本発明の実施の形態にかかるナビゲーション装置の「スタンド立ち寄り初期設定」のプログラム制御は、図３のように行われる。
「メインメニュー」の画面を選択し、そこから「各種設定」を選択し、「各種設定」画面により、この図３に示すルーチンに入り、ステップＳ０１で「スタンド立ち寄り初期設定」を表示し、ステップＳ０２でその初期設定画面に、車両登録地点の入力及び距離設定または地域設定される。また、軌跡を消去する時間を次にイグニッションスイッチ６８を投入してからの軌跡の表示時間を、１分から５分の間で選択設定される。なお、この実施の形態では３分間とした。これらの入力が完了して「完了」キーを操作すると、ステップＳ０３で「スタンド立ち寄り設定フラグ」を立てる（“１”とする）。
これによって、本実施の形態のエネルギ供給所を選択して案内を行うルート案内処理の初期設定が完了する。
【００５６】
次に、本実施の形態のエネルギ供給所を選択して案内を行うプログラム制御について説明する。ここではエネルギ供給所としてガソリンスタンド（以下、単に「スタンド」という）の例で説明する。
図４の「メインプログラム」は、イグニッションスイッチキーが挿入され、イグニッションスイッチ６８がオンになったとき起動するプログラムで、ディスプレイ３を通常の制御画面として使用する場合と同一プログラムで実行されるものである。
【００５７】
まず、ステップＳ１でメインプログラムの処理で使用するメモリの初期化を行い、ステップＳ２で、スタンド立ち寄り設定フラグが立っている（“１”）か、否かを判断し、スタンド立ち寄り設定フラグが立っているとき、ステップＳ３でスタンド立ち寄りルーチンをコールし、スタンド立ち寄りプログラムの実行に入り、スタンド立ち寄り設定フラグが降りているとき（“０”のとき）、このルーチンを脱する。
【００５８】
ステップＳ４で前回使用の際に立ち寄ったスタンドからの軌跡があり、それが消去されていないとき、ステップＳ４でそれを表示し、ステップＳ５でそれを表示する３分間の経過を判断する。なお、この３分間は、１分から５分の間で設定されるのが普通であり、この実施の形態では３分間の選択とした。ステップＳ５で３分間の経過を判断すると、ステップＳ６でそれまで表示していた前回の立ち寄ったスタンドからの軌跡を消去し、図示しない他の演算及び制御を行う。
【００５９】
この立ち寄ったスタンドからの軌跡は、例えば、レンタカーの場合には、イグニッションスイッチキーが返却されたとき、再度、イグニッションスイッチキーを挿入してイグニッションスイッチ６８をオンとすることにより、不正のない給油がなされているかを確認できる。また、３分程度に設定すると、次の顧客に対して給油後の軌跡が付与されることを説明できる。したがって、不正の無い運用が可能となる。
なお、この実施の形態では説明を省略するが、本実施の形態のナビゲーション装置は、通常のナビゲーションの機能も具備するものである。
【００６０】
ステップＳ３で「スタンド立ち寄りルーチン」がコールされると図５及び図６の「スタンド立ち寄りルーチン」の実行に入る。
ステップＳ１１で車両登録地点から閾値の半径５Ｋｍ円の地点を超え、再度、５Ｋｍ円の地点内に戻ってきたかを判定する。半径５Ｋｍ円の地点内に戻ってきていないときは、このルーチンを脱する。なお、この半径５Ｋｍ円の地点とは、スタンドを選択する余裕のある距離として設定したものであるから、半径２Ｋｍ円乃至半径１０Ｋｍ円の地点とすることができる。また、ステップＳ１１は省略し、「帰路」の状態では最初から、ナビゲーションで案内する態様とすることもできる。
更に詳しくは、車両が車両登録地点から遠のく場合、また、車両が車両登録地点の方向に向かわない場合には、車両登録地点から半径５Ｋｍ円地点内にあっても、「帰路」にないと判断する。
【００６１】
ステップＳ１１で車両登録地点から半径５Ｋｍ円の地点を超え、再度、半径５Ｋｍ円の地点内に戻ってきたことを判定すると、ステップＳ１２でナビゲーションの目的地として車両登録地点が設定されているか。或いは自宅（登録地点）に帰るとの主旨のキー操作によって登録地点を走行目的地に設定されているかを判断し、それらの場合は、ナビゲーションで「帰路」を選択したものとする。ステップＳ１２でナビゲーションの「帰路」が選択していないと判断されたときには、ステップＳ１３で「帰路」の走行であるか否かをディスプレイ３を使用し、同時にスピーカ４から音声で問いかけ、ドライバから操作部２を解しての回答を待つ。ステップＳ１３で「帰路」でないと回答を受けたとき、このルーチンを脱する。しかし、「帰路」の走行であるとの回答を受けたときには、ステップＳ１４でナビゲーションが動作中であるか否かを判断し、動作中でないときには、ステップＳ１５でナビゲーションを起動させる。
【００６２】
ステップＳ１２でナビゲーションの目的地として車両登録地点を設定していることが判断された場合、或いは、自宅（登録地点）に帰る主旨のキー操作によって登録地点を走行目的地に設定した場合、または、ステップＳ１３で「帰路」の走行としての回答を受けたときには、ステップＳ１４及びステップＳ１５を経てステップＳ１６で所定の距離内のスタンドを表示する。
この所定距離内のスタンドの表示は、距離設定されている場合には、車両登録地点から所定の距離、本実施の形態では半径３Ｋｍ円のスタンドを表示する。または地域設定されている場合には、所定の地域内のスタンドを表示する。そして、ステップＳ１７で当該表示されたスタンド毎に、カード使用の可否、販売店の系列、エネルギ価格等の情報の１つ以上を表示または必要に応じて音声案内を行う。
【００６３】
ステップＳ１８で、特定の立ち寄るスタンドが選択されるまで、ステップＳ１６乃至ステップＳ１８のルーチンを繰り返し実行する。ステップＳ１８で特定のスタンドが選択されたことが確認されるとステップＳ１９で車両の現在位置から、目的地を車両登録地点とし、選択されたスタンドを経由地とするルートを探索する。スタンドという店舗の性質から、入り組んだ道路条件の箇所に存在することは稀であり、通常、特定の立ち寄るスタンドとしては、半径５Ｋｍ円以内の距離内を対象とするから、ルート選択、ルート変更、再探索を行う必要はないが、必要に応じて、それを行ってもよい。
【００６４】
ステップＳ２０で選択されたスタンドを経由して車両登録地点を目的地とするルートを表示し、ナビゲーションとしてそのルート案内を開始する。
ステップＳ２１で選択されたスタンドに入ってエンジンが停止されたことを、イグニッションスイッチ６８のオフになるか否かで判断し、イグニッションスイッチ６８がオフになったとき、立ち寄ったスタンドで給油等のエネルギの補給を受けていると判断する。そして、ステップＳ２２で車両の走行軌跡を表示する。この表示は、図７に示すように、給油等のエネルギの補給を受けてから他の走行を行っていないことを明確にするものである。したがって、社有車両、タクシー等では省略することもできる。目的地としての車両登録地点に到着することをステップＳ２３で確認されるまで、ステップＳ２２及びステップＳ２３のルーチンを実行する。
【００６５】
目的地としての車両登録地点に到着したことがステップＳ２３で確認されると、ステップＳ２４で事務処理メッセージを表示すると共に、音声で事務処理案内をし、喩え、ドライバが不慣れでも、後の事務的扱いに影響を出さないようにし、ステップＳ２５でイグニッションスイッチ６８がオフになるまで、本ルーチンの処理を継続し、このルーチンの処理を完了する。
この事務処理メッセージの表示は、「御利用、ありがとうございました。キーの返却は１番窓口までお願いします。」、「お疲れ様でした。総務課の車両管理表に会社到着時間を記載の上、キーを返却ください。」、「この車両は、２番駐車場に駐車願います。キーは守衛に返却願います。」等の表示、音声案内を行うものである。
【００６６】
このように、本実施の形態のナビゲーション装置では、前記車両が特定の車両登録地点に到着したとき、ステップＳ２４で事務処理メッセージを報知するものであるから、車両が特定の車両登録地点に到着したとき、ドライバに次の工程を説明でき、初心者であっても惑わない手順が示唆でき、管理の手間が省ける。
【００６７】
また、本実施の形態のナビゲーション装置では、スタンドとは、ガソリンスタンドで説明したが、アルコールスタンド、ＬＰＧスタンド等の液体燃料の供給所、電気スタンド等の電気充電場所の何れか１つに該当する液体燃料または電気を供給する場所、即ち、エネルギ供給所とすることができる。したがって、現実的なレンタカー、社有車両、共用車両、タクシー等の運用に合致した運用が期待できる。
【００６８】
そして、本実施の形態のナビゲーション装置では、ステップＳ１６で車両登録地点付近にあるエネルギ供給所を表示し、そこから立ち寄るエネルギ供給所を選択自在に表示するステップＳ１６及びステップＳ１８からなるエネルギ供給所選択部は、単一のエネルギ供給所のみの場合には、ステップＳ１８の判断をすることなく、エネルギ供給所が選択されたと一義的に決定することができる。したがって、ドライバの判断の手間を省略することができる。また、一義的に決定されたことがドライバに認識できないことから、この場合には、ステップＳ１６及びステップＳ１７をステップＳ１８をタイマ１５の時間の経過を判断し、所定時間経過したことをもって、それをドライバに訴えることもできる。
【００６９】
更に、本実施の形態のナビゲーション装置では、ステップＳ１６で車両登録地点付近にあるエネルギ供給所を表示し、そこから立ち寄るエネルギ供給所を選択自在に表示するエネルギ供給所選択部は、ステップＳ１７で前記エネルギ供給所のカード使用の可否、販売店の系列、エネルギの価格等の情報の１つ以上を付加して報知するものであるから、ドライバが自分のマネー管理に適したエネルギ供給所を選択することができる。
【００７０】
更にまた、本実施の形態のナビゲーション装置では、車両登録地点に対する「帰路」か、否かを問うステップＳ１２及びステップＳ１３からなる帰路確認部は、車両登録地点から所定の距離を超えた後、当該所定の距離以内に戻ってきたことによって判断するものである。故に、ナビゲーション機能を使用していない走行であっても、使用しているときでも、車両登録地点に戻る場合には、常に燃料を満タン、充電完了状態とする（最大エネルギを確保する）管理される車両であることをドライバに知らせることができる。
【００７１】
加えて、本実施の形態のナビゲーション装置では、車両登録地点に対する「帰路」か、否かを問うステップＳ１２及びステップＳ１３からなる帰路確認部は、特定の目的地に対して案内していないときでも、車両登録地点から所定の距離以内に戻ってきたことを判断し、そのルート案内をステップＳ１９及びステップＳ２０で開始するものである。故に、ナビゲーション機能でルート案内されるまでなく熟知している道路の走行であっても、車両登録地点に戻る場合には、常に燃料を満タン、充電完了状態とする管理される車両であることをドライバに知らせることができる。
【００７２】
また、上記実施の形態のナビゲーション装置の前記車両登録地点に対する「帰路」か、否かを問うステップＳ１２及びステップＳ１３からなる帰路確認部は、特定の目的地として特定の車両登録地点外が選択されルート探索するとき、所定の距離内に戻ってきても「帰路」と判断しないことによって、不要な操作を省くことができる。
【００７３】
上記実施の形態のナビゲーション装置の車両登録地点付近にあるエネルギ供給所を表示し、そこから立ち寄るエネルギ供給所を選択自在に表示するステップＳ１６乃至ステップＳ１８からなるエネルギ供給所選択部は、車両の走行車線によって反対車線側にあるエネルギ供給所を除くことによって、特別にエネルギ供給所のための回り道を走行しなくともエネルギの供給ができるから、ドライバの負担を軽減することができる。
同様に、車両が車両登録地点に向かう走行車線において反対車線側にあるエネルギ供給所及び車両登録地点よりも以遠にあるエネルギ供給所を除くことによって、特別にエネルギ供給所のための回り道を走行しなくともエネルギの供給ができるから、ドライバの負担を軽減することができる。
また、複数のエネルギ供給所がないとき、反対車線側にあるエネルギ供給所及び／または車両登録地点よりも以遠にあるエネルギ供給所を選択できるように表示することもできる。
【００７４】
以上のように、上記実施の形態のナビゲーション装置は、特定の車両の現在位置の登録地点から目的地との間のルートを探索すると共に、選択されたルートに従ってディスプレイ３及びスピーカ４によってルート案内するナビゲーション装置において、初期設定の「スタンド立ち寄り設定」で設定した車両登録地点から、その車両登録地点中心に半径５Ｋｍ円以内の所定の距離内に戻ってきたとステップＳ１１で判断されたとき、前記車両登録地点に対する「帰路」か、否かを問うステップＳ１２及びステップＳ１３からなる帰路確認部と、車両登録地点に対する「帰路」であることが特定されたとき、車両登録地点付近、例えば、その車両登録地点中心に半径３Ｋｍ円以内にあるスタンド等のエネルギ供給所を表示し、そこから立ち寄るエネルギ供給所を選択自在に表示するステップＳ１６乃至ステップＳ１８からなるエネルギ供給所選択部と、エネルギ供給所選択部で前記車両が立ち寄るエネルギ供給所がステップＳ１８で特定されると、特定された前記エネルギ供給所を経由するルートを探索し、そのルート案内とするステップＳ１９乃至ステップＳ２５からなる経由地案内部と、ステップＳ２２からなる前記経由地案内部でルート表示した以降の走行軌跡を認識可能な色彩で表示し、イグニッションスイッチ６８の切断では解消しない表示とするステップＳ４及びステップＳ５からなる軌跡表示部とを具備するものである。
【００７５】
上記実施の形態のナビゲーション装置は、特定車両の車両登録地点から目的地との間のルートを探索すると共に、選択されたルートに従って表示画面及び音声でルー案内する。前記車両がその車両登録地点から所定の距離内に戻ってきたとき、即ち、ステップＳ１１で人為的に設定した車両登録地点中心に半径５Ｋｍ円以内の所定の距離内に戻ってきたと判断されたとき、車両登録地点に対する「帰路」か、否かを問い、ステップＳ１２及びステップＳ１３からなる帰路確認部で「帰路」であることが特定されたとき、エネルギ供給所選択部で車両登録地点付近、即ち、人為的に設定した車両登録地点中心に半径３Ｋｍ円以内にあるエネルギ供給所を表示し、ステップＳ１６及びステップＳ１７でそこから立ち寄るエネルギ供給所を選択自在に表示し、ステップＳ１８で車両が立ち寄るエネルギ供給所が特定されたと判断すると、ステップＳ１９乃至ステップＳ２５からなる経由地案内部で特定された前記エネルギ供給所を経由するルート探索及びルート案内を行うものである。そして、ステップＳ２２の軌跡表示部によって、経由地案内部で表示した以降の走行軌跡を認識可能な色彩で表示し、かつ、それがイグニッションスイッチ６８の切断では解消しない表示としたものである。
【００７６】
したがって、ステップＳ１１で車両がその車両登録地点に戻るときの走行が確認されると、スタンド等を選択するエネルギ供給所選択部で車両登録地点付近にあるエネルギ供給所をステップＳ１６及びステップＳ１７で表示し、次に、ステップＳ１６乃至ステップＳ１８で車両が立ち寄るエネルギ供給所が特定されると、その際に車両登録地点に対するルート案内を行っていても、経由地案内部で特定のエネルギ供給所を経由する車両登録地点に戻るルートのルート探索及びルート案内とすることができる。これによって、車両が車庫で待機状態にあるときには、常に燃料を満タン、充電完了状態とする（最大エネルギを確保する）管理ができる。そして、軌跡表示部によって、前記経由地案内部で表示した以降の走行軌跡を認識可能な色彩で表示し、かつ、それがイグニッションスイッチ６８の切断では解消しない図７に示す表示としたものであるから、一旦、最大エネルギを確保しておきながら、他の走行を行った場合には、その記録を管理者または後に車両に乗り込んだドライバに知らせることができ、最大エネルギを確保するという規則が遵守され、信頼性を向上できる。
【００７７】
ところで、図６に示す実施の形態では、ステップＳ２２の軌跡表示部によって、前記経由地案内部で表示した以降の走行軌跡を認識可能な色彩で表示し、かつ、それがイグニッションスイッチ６８の切断では解消しない表示としたものであるから、エネルギ供給所からの燃料の消費が容易に推定できるが、ステップＳ２２の処理を省略し、当該管理を緩めることもできる。
【００７８】
即ち、この実施の形態のナビゲーション装置は、特定の車両の現在位置の登録地点から目的地との間のルートを探索すると共に、選択されたルートに従ってディスプレイ３及びスピーカ４によってルート案内するナビゲーション装置において、初期設定の「スタンド立ち寄り設定」で設定した車両登録地点から、その車両登録地点中心に半径５Ｋｍ円以内の所定の距離内に戻ってきたとステップＳ１１で判断されたとき、前記車両登録地点に対する「帰路」か、否かを問うステップＳ１２及びステップＳ１３からなる帰路確認部と、車両登録地点に対する「帰路」であることが特定されたとき、車両登録地点付近、例えば、その車両登録地点中心に半径３Ｋｍ円以内にあるスタンド等のエネルギ供給所を表示し、そこから立ち寄るエネルギ供給所を選択自在に表示するステップＳ１６乃至ステップＳ１８からなるエネルギ供給所選択部と、エネルギ供給所選択部で前記車両が立ち寄るエネルギ供給所がステップＳ１８で特定されると、特定された前記エネルギ供給所を経由するルートを探索し、そのルート案内とするステップＳ１９乃至ステップＳ２５からなる経由地案内部とを具備する構成とすることができる。
【００７９】
この実施の形態のナビゲーション装置では、特定車両の車両登録地点から目的地との間のルートを探索すると共に、選択されたルートに従って表示画面及び音声でルート案内する。前記車両がその車両登録地点から所定の距離内に戻ってきたとき、即ち、ステップＳ１１で人為的に設定した車両登録地点中心に半径５Ｋｍ円以内の所定の距離内に戻ってきたと判断されたとき、車両登録地点に対する「帰路」か、否かを問い、ステップＳ１２及びステップＳ１３からなる帰路確認部で「帰路」であることが特定されたとき、エネルギ供給所選択部で車両登録地点付近、即ち、人為的に設定した車両登録地点中心に半径３Ｋｍ円以内にあるエネルギ供給所を表示し、ステップＳ１６及びステップＳ１７でそこから立ち寄るエネルギ供給所を選択自在に表示し、ステップＳ１８で車両が立ち寄るエネルギ供給所が特定されたと判断すると、ステップＳ１９乃至ステップＳ２５からなる経由地案内部で特定された前記エネルギ供給所を経由するルート探索及びルート案内を行うものである。
したがって、車両がその車両登録地点に戻るときの走行が確認されると、エネルギ供給所選択部で車両登録地点付近にあるエネルギ供給所を表示し、車両が立ち寄るエネルギ供給所が特定されると、その際に車両登録地点に対するルート案内を行っていても、経由地案内部で特定のエネルギ供給所を経由する車両登録地点に戻るルート探索及びルート案内に切り替えることができる。よって、車両が車庫で待機状態にあるときには、常に燃料を満タン、充電完了状態とする管理ができる。また、特に、本実施の形態では、ナビゲーション装置にソフトウエアの追加のみで対応でき、その付加価値を高めることができる。
【００８０】
上記実施の形態のナビゲーション装置は、積極的にルート探索及びルート案内を使用してエネルギ供給所を選択して案内を行うプログラム制御に入ることができる。
例えば、ナビゲーションで目的地として、車両登録地点が設定されたとき、または、自宅（登録地点）に帰るとの主旨のキー操作によって、車両登録地点に戻ることが明らかになった時点で、ルート探索及びルート案内を行うモードに入れることもできる。この構成は、ステップＳ１１乃至ステップＳ１５のルーチンをステップＳ１２のみの判断とし、ナビゲーションで「帰路」を選択したときには、ステップＳ１６からの処理に入り、「帰路」を選択してないときには、このルーチンを脱するものである。
【００８１】
即ち、この実施の形態のナビゲーション装置では、特定の車両の現在位置の登録地点から目的地との間のルートを探索すると共に、選択されたルートに従ってディスプレイ３及びスピーカ４によってルート案内するナビゲーション装置において、車両登録地点に対する「帰路」であることが特定されたとき、車両登録地点付近、例えば、その車両登録地点中心に半径３Ｋｍ円以内にあるスタンド等のエネルギ供給所を表示し、そこから立ち寄るエネルギ供給所を選択自在に表示するステップＳ１６乃至ステップＳ１８からなるエネルギ供給所選択部と、エネルギ供給所選択部で前記車両が立ち寄るエネルギ供給所がステップＳ１８で特定されると、特定された前記エネルギ供給所を経由するルートを探索し、そのルート案内とするステップＳ１９乃至ステップＳ２５からなる経由地案内部とを具備する構成とすることができる。
【００８２】
この実施の形態のナビゲーション装置は、「帰路」が決定されれば、その時点で「帰路」のルート探索を行い、最初からルート案内を行う発明の実施の形態とすることができる。例えば、図５及び図６に示す実施の形態では、車両登録地点に対する「帰路」か、否かを問うステップＳ１２及びステップＳ１３からなる帰路確認部は、車両登録地点が車両の走行目的地に設定されているときに「帰路」と特定するものである。故に、自宅（登録地点）に帰る等のキー操作または車両登録地点が車両の走行目的地に設定されたことをもって「帰路」を判断するものであるから、ドライバの意思を直接正確に得た結果を使用することができる。
【００８３】
即ち、上記実施の形態のナビゲーション装置は、特定車両の車両登録地点から目的地との間のルートを探索すると共に、選択されたルートに従って表示画面及び音声でルート案内する。車両登録地点に対する「帰路」であることが特定されたとき、エネルギ供給所選択部で車両登録地点付近にあるエネルギ供給所を表示し、そこから立ち寄るエネルギ供給所を選択自在に表示し、車両が立ち寄るエネルギ供給所が特定されると、経由地案内部で特定のエネルギ供給所を経由するルートのルート案内を行うものである。
したがって、車両がその車両登録地点に戻るときの走行が確認されると、エネルギ供給所選択部で車両登録地点付近にあるエネルギ供給所を表示し、車両が立ち寄るエネルギ供給所が特定され、経由地案内部で特定のエネルギ供給所を経由する車両登録地点に戻るルートのルート案内を行うことができる。よって、車両が車庫で待機状態にあるときには、常に燃料を満タン、充電完了状態とする管理ができる。
【００８４】
上記実施の形態のナビゲーション装置は、車両の車両登録地点から目的地との間のルートを探索すると共に、選択されたルートに従って表示画面及び音声でルート案内し、その出発車両の車両登録地点を特定車両の車両登録地点に対する「帰路」と判断しているが、例えば、レンタカーのように、複数の営業所の何れに返却してもよい場合には、特定車両の車両登録地点を全ての営業所、または限られた範囲の営業所とすることができる。即ち、特定車両の車両登録地点に対する「帰路」との判断は、特定の車両の１以上の車両登録地点に対する走行と判断することになる。
このように、上記実施の形態のナビゲーション装置は、特定車両の車両登録地点とは、１以上の車両登録地点の設定が可能なものである。
【図面の簡単な説明】
【００８５】
【図１】図１は本発明の実施の形態にかかるナビゲーション装置の一部機能表現を含む全体構成を示すブロック図である。
【図２】図２は本発明の実施の形態にかかるナビゲーション装置のディスプレイ表示された説明図である。
【図３】図３は本発明の実施の形態にかかるナビゲーション装置の初期設定ルーチンのフローチャートである。
【図４】図４は本発明の実施の形態にかかるナビゲーション装置のメインルーチンのフローチャートである。
【図５】図５は本発明の実施の形態にかかるナビゲーション装置のスタンド立ち寄りルーチンの一部のフローチャートである。
【図６】図６は本発明の実施の形態にかかるナビゲーション装置のスタンド立ち寄りルーチンの残部のフローチャートである。
【図７】図７は本発明の実施の形態にかかるナビゲーション装置によって軌跡を表示したディスプレイの画面の説明図である。
【符号の説明】
【００８６】
１    演算・制御部
２    操作部
３    ディスプレイ
４    スピーカ
６    現在地検出部
７    道路交通情報通信システムセンター
８    通信部
９    データ処理記憶部
【図１】
2009128293.tif 000003
【図２】
2009128293.tif 000004
【図３】
2009128293.tif 000005
【図４】
2009128293.tif 000006
【図５】
2009128293.tif 000007
【図６】
2009128293.tif 000008
【図７】
2009128293.tif 000009